(57)【要約】【課題】  栽培物と農園芸用容器の周囲をカバー部材で取り囲んで栽培物を保護する栽培物の保護体に関し、その大きさや形状を簡便に調節し、該カバー部材の一部に開閉自在の換気口を設けることで適度に換気を行い、該カバー部材の側方を使用者が所望する位置で止着し、該カバー部材が使用者の意図することなく栽培物及び農園芸用容器から容易に取り外されないようにする。【解決手段】  栽培物の保護体１は、カバー部材２と、止着帯３と、固定具４とから構成される。止着帯３は、係止突起３１と、係止突起３１の絡み合いを緩衝するための係止緩衝材３２と、固定具４を挿通するための固定具挿通孔３３ｄが設けられている基材３３とからなり、カバー部材２の側方に取り付けられる。固定具４は、柔軟性のある素材で形成された細長い部材であって、その両端部にはそれぞれ固定突起４ａが設けられている。【選択図】      図２０
2018000047.tif 000002
【特許請求の範囲】
【請求項１】
カバー部材と、止着帯と、固定具とから構成される栽培物の保護体であって、該カバー部材は、栽培物及び該栽培物を植えるための農園芸用容器の周囲を取り囲んで該栽培物を保護するための部材であり、人力により折り曲げることができる柔軟性のあるシート状の材料を用いて形成されており、該止着帯は、係止突起と、係止緩衝材と、基材とからなり、該カバー部材の側方に取り付けられ、該係止突起は、雄型突起と雌型突起とが絡み合って、対向する一対の該止着帯を相互に止着するための部材であって、該基材の表面上に設けられていおり、該係止緩衝材は、該雄型突起と該雌型突起との絡み合いを緩衝するための部材であって、該基材の表面上に設けられており、該基材は、帯状の部材であって、その表面には該基材の長さ方向に並行して帯状に該係止突起が設けられている係止突起設置面とその両側に該係止突起が設けられていない係止突起非設置面とがあるとともに、該係止突起非設置面には該固定具を挿通するための複数の固定具挿通孔が該基材の長さ方向に並行して直線状に設けられており、該基材の裏面の一部は該カバー部材の表面に該止着帯を取り付けるための取付面になっており、該固定具は、柔軟性のある素材で形成された細長い部材であって、その両端部のそれぞれの外周面上には固定突起が設けられていることを特徴とする栽培物の保護体。
【請求項２】
請求項１に記載した栽培物の保護体であって、前記カバー部材が複数の筋状の空気スペースを有しており、該空気スペースの両端が開放されているを特徴とする栽培物の保護体。
【請求項３】
請求項１又は２に記載した栽培物の保護体であって、前記基材の側面に前記止着帯の止着を解除する際の持ち手が形成されていることを特徴とする栽培物の保護体。
【請求項４】
請求項１から３までの何れかに記載した栽培物の保護体であって、前記係止緩衝材が前記係止突起の上面に架け渡された網状の部材であることを特徴とする栽培物の保護体。
【請求項５】
請求項１から３までの何れかに記載した栽培物の保護体であって、前記係止緩衝材が前記係止突起の高さよりも高い高さを有する係止突起設置面において設けられた緩衝突起であることを特徴とする栽培物の保護体。
【発明の詳細な説明】
【技術分野】
【０００１】
本発明は、野菜や花等の各種の栽培物と該栽培物を植えるための植木鉢やプランター等の各種の農園芸用容器の周囲をシート状の部材で形成したカバー部材によって取り囲んで太陽熱や害虫及び害獣等から該栽培物を保護するための栽培物の保護体に関する。
【背景技術】
【０００２】
栽培物を植えた農園芸用容器をそのまま屋外に設置すると、太陽熱に直に晒されたり、毛虫等の害虫やネズミ等の害獣からの攻撃に遭ったりして、該栽培物の生育に多大な悪影響を与えることがある。
【０００３】
そこで、従来、太陽光を遮るとともに害虫や害獣の侵入を防ぐため、上記のような栽培物と農園芸用容器の周囲をカバー部材で取り囲んで該栽培物を保護するための各種の栽培物の保護体が提案されてきた。例えば、ポリオレフィン系樹脂発泡体あるいはゴム成分を含有したポリスチレン系樹脂発泡体の扇形状をした板体からなり、その板面に複数の折り曲げ部及び複数の貫通孔及び／又はスリットが形成され、前記折り曲げ部に沿って折り込むことにより、草木を覆う中空円錐形状、あるいは中空多角錐形状となる冬囲い用カバーが提案されている（下記の特許文献１を参照）。
【０００４】
また、引裂強力０．５ｋｇｆ以上、通気抵抗１００ｍｍＡｑ（風速１ｍ／秒）以下を有する生分解性繊維からなる不織布シートでもって筒状に成形可能になした食害防止具本体を用いた植林苗木用食害防止具であって、上記食害防止具が略切頭円錐形に彎曲成形可能な外形を有し、かつ下辺部分と下辺部分より上辺部分までの中間部分とに設けた複数の袋状の挿入部と、左右重合部分の各挿入部間に設けた係着可能な雌、雄係止部とを備えてなり、上記食害防止具本体の各挿入部に、生分解性を有する彎曲可能なひご状の保形骨材を挿着可能にした植林苗木用食害防止具が提案されている（下記の特許文献２を参照）。
【０００５】
更に、複数の縦桟と各縦桟間に掛設した横桟により形成された縦長の筒状枠体と、この筒状枠体の周側面および上面に張設したビニール製の覆いで囲い具本体が形成されると共に、囲い具本体の周側面に少なくとも一面に上部の横桟を残し、側方から支柱への嵌脱ができるように横桟が除かれ、かつ上部の横桟に支柱嵌脱用溝が設けられた支柱嵌脱用側面部が形成され、この支柱嵌脱用側面部の覆いが開閉可能とされるとともに、囲い具本体の上面の覆いに支柱の上方への挿通部分および支柱嵌脱用側面部側から支柱への嵌脱ができる支柱嵌脱部分が設けられている育苗用ビニール囲い具が提案されている（下記の特許文献３を参照）。
【０００６】
そして、支柱を４本又は５本立てて、その上にテント又はネットを被せ、その耳を該支柱の結束部で縛り、冬囲いとしては、該テント又はネットの開口部の両面のハトメ穴を紐で閉じるか、あるいは庭木に１本の支柱を取り付け、あるいは庭木の上に突き出した支柱に該テント又はネットの耳を縛り、該庭木を該テント又はネットで覆った後に該開口部を紐で閉じ、花等の雨よけには、支柱を４本又は５本立ててテント又はネットを取り付けた後に該開口部の両面をそれぞれ該支柱を巻くようにして内側に回し面ファスナーで接着して該開口部を開け、又は該開口部の両面のハトメ穴に紐をかけ、１本の支柱を内側に巻いて奥にある別の支柱に取り付ける低木、花等を雪等から防護するテント又はネットが提案されている（下記の特許文献４を参照）。
【０００７】
あわせて、上記のような栽培物の保護体に用いる種のカバー部材も提供されているところである。例えば、ポリグリセリン系の防曇性を添加した光線透過率が８０％以上のフィルムに直径が１．５mm以下又は直径が１．５mm以下の大きさに相当する通気孔を無数に設け、これら各孔の面積の総計をフィルム表面積の１０〜６０％とし、その表面にエチレンと酢酸ビニルの共重合樹脂（ＥＶＡ）と、ポリエチレン（ＰＥ）からなるＥＶＡ／ＰＥ／ＥＶＡの三層構造よりなる３００デニールのテープヤーンを縦方向と横方向にそれぞれ３０mm間隔で熱溶着した農業用被覆材も提案されている（以下の特許文献５を参照）。
【０００８】
上記のような栽培物の保護体であれば、栽培物及び農園芸用容器の周囲をカバー部材によって取り囲んでいるため、太陽光を遮るとともに害虫及び害獣の侵入を防ぐことができるため、好適である。
【先行技術文献】
【特許文献】
【０００９】
【特許文献１】特開２００４−２４０７４号公報
【特許文献２】特開２００２−１７１８０号公報
【特許文献３】特開平１１−１１３４２８号公報
【特許文献４】特開平９−２４８０７２号公報
【特許文献５】実開平５−７４２４９号公報
【発明の概要】
【発明が解決しようとする課題】
【００１０】
ところで、農園芸用容器には様々な大きさあるいは形状を有するものがある。しかしながら、上記の従来技術に係る栽培物の保護体は、均一な大きさおよび形状からなるため、農園芸用容器の大きさや形状に合わせて、その大きさや形状を調節することができないという問題があった（上記の特許文献１ないし４を参照）。即ち、栽培物の保護体が農園芸用容器に対して小さ過ぎると、農園芸用容器の周囲をカバー部材で取り囲むことができず、そこから太陽光が差したり害虫や害獣が侵入したりしてしまう。反対に、栽培物の保護体が農園芸用容器に対して大き過ぎると、他の農園芸用容器を設置するスペースが少なくなったり通行の障害になったりしてしまう。
【００１１】
そこで、本発明が解決しようとする第１の課題は、栽培物と農園芸用容器の周囲をカバー部材で取り囲んで該栽培物を保護する栽培物の保護体に関し、該農園芸用容器の大きさや形状に合わせて、その大きさや形状を簡便に調節することができる栽培物の保護体を提供することにある。
【００１２】
次に、上記のような栽培物の保護体は、これを密閉したままにしておくと、空気がその内部に滞留してしまい、植物の生育にかえって悪影響を与えることがあるため、適度に換気を行う必要がある。しかしながら、上記の従来技術に係る栽培物の保護体は、換気を行う際にカバー部材を全面的に開閉しなければならず、そのような状態にするとやはり栽培物が太陽熱に晒されたり害虫や害獣が侵入したりしてしまうという問題があった（上記の特許文献１ないし４を参照）。
【００１３】
そこで、本発明が解決しようとする第２の課題は、栽培物と農園芸用容器の周囲をカバー部材で取り囲んで該栽培物を保護する栽培物の保護体に関し、該カバー部材の一部に開閉自在の換気口を設けることで適度に換気を行うことができる栽培物の保護体を提供することにある。
【００１４】
更に、上記の従来技術に係る栽培物の保護体には、カバー部材を閉鎖する際にその両端部を止着するための部材として面状ファスナーを用いるものがある。面状ファスナーを用いることにより簡便にカバー部材の両端部を相互に止着することができるものの、特に面状ファスナーの長さが長い場合は使用者の意図しない箇所を止着してしまったり、換気等のためにカバー部材を開放していたのに風等で不意に閉塞してしまったりする問題があった（上記の特許文献３及び４を参照。）。
【００１５】
そこで、本発明が解決しようとする第３の課題は、栽培物と農園芸用容器の周囲をカバー部材で取り囲んで該栽培物を保護する栽培物の保護体に関し、該カバー部材の側方を使用者が所望する位置で止着することができる栽培物の保護体を提供することにある。
【００１６】
そして、上記の従来技術に係る栽培物の保護体は、単にカバー部材を地面に立設しているだけでは、風が吹いたり通行者が不意に接触したりすると、簡単に転倒して栽培物及び農園芸用容器から取り外されてしまう（上記の特許文献１ないし４を参照）。
【００１７】
そこで、本発明が解決しようとする第４の課題は、栽培物と農園芸用容器の周囲をカバー部材で取り囲んで該栽培物を保護する栽培物の保護体に関し、該カバー部材が使用者の意図することなく栽培物及び農園芸用容器から容易に取り外されないようにした栽培物の保護体を提供することにある。
【課題を解決するための手段】
【００１８】
本発明は、上記の各課題を解決するために提案されたものであり、以下の構成を有するものである。以下では、本発明の構成を理解することを補助するために、本願に添付した図面に表示した番号及び符号をあわせて記載する。
【００１９】
請求項１に係る栽培物の保護体（１）は、カバー部材（２）と、止着帯（３）と、固定具（４）とから構成される。カバー部材（２）は、栽培物（Ａ）及び栽培物（Ａ）を植えるための農園芸用容器（Ｂ）の周囲を取り囲んで栽培物（Ａ）を保護するための部材であり、人力により折り曲げることができる柔軟性のあるシート状の材料を用いて形成される。止着帯（３）は、係止突起（３１）と、係止緩衝材（３２）と、基材（３３）とからなり、カバー部材（２）の側方に取り付けられる。係止突起（３１）は、雄型突起（３１ａ）と雌型突起（３１ｂ）とが絡み合って、対向する一対の止着帯（３）を相互に止着するための部材であって、基材（３３）の表面上に設けられている。係止緩衝材（３２）は、雄型突起（３１ａ）と雌型突起（３１ｂ）との絡み合いを緩衝するための部材であって、基材（３３）の表面上に設けられている。基材（３３）は、帯状の部材であって、その表面には基材（３３）の長さ方向に並行して帯状に係止突起（３１）が設けられている係止突起設置面（３３ａ）とその両側に係止突起（３１）が設けられていない係止突起非設置面（３３ｂ）とがあるとともに、係止突起非設置面（３３ｂ）には固定具（４）を挿通するための複数の固定具挿通孔（３３ｄ）が基材（３３）の長さ方向に並行して直線状に設けられており、基材（３３）の裏面の一部はカバー部材（２）の表面に止着帯（３）を取り付けるための取付面（３３ｅ）になっている。固定具（４）は、柔軟性のある素材で形成された細長い部材であって、その両端部のそれぞれの外周面上には固定突起（４ａ）が設けられている。
【００２０】
請求項２に記載した栽培物の保護体（１）は、請求項１に記載した栽培物の保護体（１）であって、カバー部材（２）が複数の筋状の空気スペース（２ａ）を有しており、空気スペース（２ａ）の両端が開放されている。
【００２１】
請求項３に記載した栽培物の保護体（１）は、請求項１又は２に記載した栽培物の保護体（１）であって、基材（３３）の側面に止着帯（３１）の止着を解除する際の持ち手（３３ｃ）が形成されている。
【００２２】
請求項４に記載した栽培物の保護体（１）は、請求項１から３までの何れかに記載した栽培物の保護体（１）であって、係止緩衝材（３２）が係止突起（３１）の上面に架け渡された網状の部材である。
【００２３】
請求項５に記載した栽培物の保護体（１）は、請求項１から３までの何れかに記載した栽培物の保護体（１）であって、係止緩衝材（３２）が係止突起（３１）の高さよりも高い高さを有する係止突起設置面（３３ａ）において設けられた緩衝突起である。
【発明の効果】
【００２４】
本発明に係る栽培物の保護体（１）は、上記の通りの構成であるから、以下のような効果を奏することができる。
【００２５】
まず、請求項１に記載した栽培物の保護体（１）は、カバー部材（２）と止着帯（３）とが別個のものとして構成されており、カバー部材（２）が人力により折り曲げることができる柔軟性のあるシート状の材料を用いて形成されていることから、使用者は農園芸用容器（Ｂ）の大きさや形状にあわせてカバー部材（２）を適当な大きさや形状に調節し、カバー部材（２）の側方に適当な長さに調節した止着帯（３）を取り付けることで栽培物の保護体（１）を形成することができる。
【００２６】
従って、請求項１に記載した栽培物の保護体（１）は、栽培物と農園芸用容器の周囲をカバー部材で取り囲んで該栽培物を保護する栽培物の保護体に関し、農園芸用容器の大きさや形状にあわせて、その大きさや形状を簡便に調節することができる栽培物の保護体を提供するという本発明の第１の課題を解決することができる。
【００２７】
次に、請求項１に記載した栽培物の保護体（１）は、対向する一対の止着帯（３）の止着を一部解除することにより換気口（５）を形成することができる。また、対向する一対の止着帯（３）の固定具挿通孔（３３ｄ）にそれぞれ固定具（４）を挿通することによって、換気口（５）が不意に閉塞することを防止できる。
【００２８】
従って、請求項２に記載した栽培物の保護体（１）は、栽培物と農園芸用容器の周囲をカバー部材で取り囲んで該栽培物を保護する栽培物の保護体に関し、該カバー部材の一部に開閉自在の換気口を設けることで適度に換気を行うことができる栽培物の保護体を提供するという本発明の第２の課題を解決することができる。
【００２９】
特に、請求項３に記載した栽培物の保護体（１）は、基材（３３）の側面には止着帯（３１）の止着を解除する際の持ち手（３３ｃ）が形成されているため、使用者は止着した止着帯（３）引き剥がす作業を行い易くなり、好適である。
【００３０】
更に、請求項１に記載した栽培物の保護体（１）は、雄型突起（３１ａ）と雌型突起（３１ｂ）との絡み合いを緩衝するための係止緩衝材（３２）が基材（３３）上に設けられている。係止緩衝材（３２）は、請求項４では係止突起（３１）の上面に架け渡された網状の部材であり、請求項５では係止突起設置面（３３ａ）に設けられた係止突起（３１）の高さよりも高い高さを有する緩衝突起である。そうすると、使用者は、対向する一対の止着帯（３）を比較的強い力で押圧しないと、雄型突起（３１ａ）と雌型突起（３１ｂ）とを絡み合わせることができないため、止着帯（３１）が不意に止着されてしまうことを防止できる。
【００３１】
従って、請求項１、４、及び５に記載した栽培物の保護体（１）は、栽培物と農園芸用容器の周囲をカバー部材で取り囲んで該栽培物を保護する栽培物の保護体に関し、該カバー部材の側方を使用者が所望する位置で止着することができる栽培物の保護体を提供するという本発明の第３の課題を解決することができる。
【００３２】
そして、請求項１に記載した栽培物の保護体（１）は、対向する一対の止着帯（３）に設けられている固定具挿通孔（３３ｄ）にそれぞれ一本の固定具（４）の端部を挿通して、これをリング状に形成し、リング状に形成した固定具（４）に紐部材やベルト部材等の長尺部材（Ｄ）を挿通してカバー部材（２）の外周面上に掛け回すことができる。
【００３３】
従って、請求項１に記載した栽培物の保護体（１）は、栽培物と農園芸用容器の周囲をカバー部材で取り囲んで該栽培物を保護する栽培物の保護体に関し、該カバー部材が使用者の意図することなく栽培物及び農園芸用容器から容易に取り外されないようにした栽培物の保護体を提供するという本発明の第４の課題を解決することができる。
【００３４】
もちろん、本発明に係る栽培物の保護体（１）であれば、栽培物（Ａ）と農園芸用容器（Ｂ）の周囲をカバー部材（２）で取り囲んでいるため、太陽光を遮るとともに害虫及び害獣の侵入を防ぐことができる。特に、請求項２に記載した栽培物の保護体（１）は、カバー部材（２）が空気スペース（２ａ）を有しているため、好適な断熱効果を発揮する。また、空気スペース（２ａ）の両端が開放されているため、空気スペース（２ａ）内で膨張した空気は外部へと流出するとともに、流入した雨水等も排出することができる。
【図面の簡単な説明】
【００３５】
【図１】本発明の一実施形態に係る栽培物の保護体を構成するカバー部材を形成する平面状シート部材の正面図である。
【図２】本発明の一実施形態に係る栽培物の保護体を構成するカバー部材を形成する凹凸状シート部材の正面図である。
【図３】本発明の一実施形態に係る栽培物の保護体を構成するカバー部材の平面図である。
【図４】本発明の一実施形態に係る栽培物の保護体を構成する止着帯の正面図である。
【図５】図４のＡ−Ａ線切断部拡大断面図である。
【図６】本発明の別の実施形態に係る栽培物の保護体を構成する止着帯の拡大断面図である。
【図７】本発明の別の実施形態に係る栽培物の保護体を構成する止着帯の正面図である。
【図８】本発明の一実施形態に係る栽培物の保護体を構成する固定具の正面図である。
【図９】本発明の一実施形態に係る栽培物の保護体を構成するカバー部材に止着帯を取り付けた状態を示した正面図である。
【図１０】図９の一部拡大断面図である。
【図１１】本発明の一実施形態に係る栽培物の保護体を空気スペースが縦方向になるように使用する状態を示した正面一部断面図である。
【図１２】図１１の側面図である。
【図１３】本発明の一実施形態に係る栽培物の保護体を空気スペースが横方向になるように使用する状態を示した正面一部断面図である。
【図１４】図１３の側面図である。
【図１５】本発明の一実施形態に係る栽培物の保護体を構成するカバー部材を連結する状態を示した一部拡大図である。
【図１６】本発明の一実施形態に係る栽培物の保護体を構成するカバー部材を連結して使用する状態を示した使用説明図である。
【図１７】本発明の一実施形態に係る栽培物の保護体を構成するカバー部材を上下に折り畳んだ状態を示した側面図である。
【図１８】本発明の一実施形態に係る栽培物の保護体を構成するカバー部材を農園芸用容器の底面と地面との間に挟み込んで使用する状態を示した正面一部断面図である。
【図１９】本発明の一実施形態に係る栽培物の保護体につき固定具を取り付けた状態を示した図である。
【図２０】本発明の一実施形態に係る栽培物の保護体につき換気口を形成した状態を示した正面一部断面図である。
【図２１】図２０の一部拡大断面図である。
【図２２】本発明の一実施形態に係る栽培物の保護体につき換気口を閉塞した状態を示した一部拡大断面図である。
【図２３】本発明の一実施形態に係る栽培物の保護体につき固定具を取り付けた状態を示した図である。
【図２４】本発明の一実施形態に係る栽培物の保護体につきカバー部材の外周面上に長尺部材を掛け回した状態を示した図である。
【発明を実施するための形態】
【００３６】
まず、本発明の一実施形態に係る栽培物の保護体（１）の構造について添付図面に基づいて以下に説明する。
【００３７】
栽培物の保護体（１）は、図２０に図示するように、カバー部材（２）と、止着帯（３）と、固定具（４）とから構成される。
【００３８】
カバー部材（２）は、図３に図示するように、栽培物（Ａ）及び栽培物（Ａ）を植えるための農園芸用容器（Ｂ）の周囲を取り囲んで栽培物（Ａ）を保護するための部材であり、人力により折り曲げることができる柔軟性のあるシート状の材料を用いて形成される。例えば、カバー部材（２）は、透明性ないし透光性を備える合成樹脂製のシート状の材料や網状の部材を用いて形成することができる。
【００３９】
カバー部材（２）は、具体的には、図１に図示するような平面状シート部材（２１）の表面上に、図２に図示するような並行する複数の筋状の凹凸を設けた凹凸状シート部材（２２）を溶着して形成することができる。カバー部材（２）はこのようにして形成された複数の筋状の空気スペース（２ａ）を有しており、空気スペース（２１ａ）の両端が開放されているのが好適である。即ち、カバー部材（２）が空気スペース（２ａ） を有していると、好適な断熱効果を発揮し、空気スペース（２ａ）の両端が開放されていると、空気スペース（２ａ）内で膨張した空気は外部へと流出するとともに、流入した雨水等も排出することができるからである。
【００４０】
尚、植木鉢であれば３号鉢はその直径が９ｃｍとされているように、園芸用容器（Ｂ）には所定の大きさや形状が決まっている物もある。よって、農園芸用容器（Ｂ）の大きさや形状に予め合わせた大きさや形状を有するカバー部材（２）を使用者に提供することももちろん可能である。
【００４１】
止着帯（３）は、図４に図示するように、係止突起（３１）と、係止緩衝材（３２）と、基材（３３）とからなり、図９に図示するように、カバー部材（２）の側方に取り付けられる。図９では、止着帯（３）はカバー部材（２）の両側方に取り付けられているが、一側方に取り付けるだけでもよい。止着帯（３）は、例えば巻き回した形態等によって、カバー部材（２）とは別個の部材として提供することができる。もっとも、止着帯（３）の長さが長くなると、使用者がカバー部材（２）の所望の場所に正確に取り付けることが困難になるため、カバー部材（２）に止着帯（３）を取り付けた状態にして、使用者に提供することも可能である。
【００４２】
係止突起（３１）は、図５及び６に図示するように、雄型突起（３１ａ）と雌型突起（３１ｂ）とが絡み合って、対向する止着帯（３）を相互に止着するための部材であって、基材（３３）の表面上に設けられている。図では、雄型突起（３１ａ）が鉤状であり、雌型突起（３１ｂ）がリング状であるが、雄型突起（３１ａ）と雌型突起（３１ｂ）とを絡み合わせることができれば、特にその形状は限定されない。また、図では、雄型突起（３１ａ）と雌型突起（３１ｂ）とが混在しているが、止着する一対の止着帯（３）において、一方には雄型突起（３１ａ）のみを設け、他方には雌型突起（３１ｂ）のみを設けてもよい。
【００４３】
係止緩衝材（３２）は、雄型突起（３１ａ）と雌型突起（３１ｂ）との絡み合いを緩衝するための部材であって、基材（３３）の表面上に設けられている。
【００４４】
係止緩衝材（３２）は、例えば、図５に図示するように、網状の部材であって、これを係止突起（３１）の上面に架け渡している。そうすると、使用者は、対向する止着帯（３）を比較的強い力で押圧しないと、雄型突起（３１ａ）と雌型突起（３１ｂ）とを網状の部材の網目から突出させて絡み合わせることができないため、止着帯（３１）が不意に止着されてしまうことを防止できる。
【００４５】
あるいは、係止緩衝材（３２）は、図６に図示するように、係止突起（３１）の高さよりも高い高さを有する緩衝突起を係止突起設置面（３３ａ）において係止突起（３１）に混在させて設けてもよい。そうすると、使用者は、対向する止着帯（３）を比較的強い力で押圧しないと、緩衝突起を屈曲させて雄型突起（３１ａ）と雌型突起（３１ｂ）とを絡み合わせることができないため、止着帯（３１）が不意に止着されてしまうことを防止できる。
【００４６】
よって、栽培物の保護体（１）は、栽培物と農園芸用容器の周囲をカバー部材で取り囲んで該栽培物を保護する栽培物の保護体に関し、該カバー部材の側方を使用者が所望する位置で止着することができるのである。
【００４７】
基材（３３）は、図４に図示するように、帯状の部材であって、例えば合成樹脂製の帯状の部材を用いることができる。基材（３３）は、その表面には基材（３３）の長さ方向に並行して帯状に係止突起（３１）が設けられている係止突起設置面（３３ａ）とその両側に係止突起（３１）が設けられていない係止突起非設置面（３３ｂ）とがある。係止突起非設置面（３３ｂ）は、カバー部材（２）に取り付けた際に外側に位置する側の面積を広くとっておくと、使用者が止着した止着帯（３）を引き剥がし易くなり、好適である。
【００４８】
尚、基材（３３）の側面には、図７に図示するように、止着帯（３１）の止着を解除する際の持ち手（３３ｃ）を形成してもよい。持ち手（３３ｃ）は、図では、３種類の大きさないし形状を有する半円状の突起を繰り返し設けているが、特にこの形状に限定されるものではない。基材（３３）の側面に持ち手（３３ｃ）を形成しておくと、使用者は止着した止着帯（３）引き剥がす作業を行い易くなり、好適である。
【００４９】
係止突起非設置面（３３ｂ）には、係止突起設置面（３３ａ）を挟んで両側に、固定具（４）を挿通するための複数の固定具挿通孔（３３ｄ）が基材（３３）の長さ方向に並行して直線状に設けられている。
【００５０】
基材（３３）の裏面の一部は、カバー部材（２）の表面に止着帯（３）を取り付けるための取付面（３３ｅ）になっている。具体的には、基材（３３）の表面における係止突起設置面（３３ａ）に対応する部分の裏面に、接着剤を塗布して取付面（３３ｅ）とし、使用者に栽培物の保護体（１）を提供する際は剥離紙を取付面（３３ｅ）の表面に貼り付けて提供すればよい。
【００５１】
固定具（４）は、図８に図示するように、柔軟性のある素材で形成された細長い部材であって、その両端部のそれぞれの外周面上には固定突起（４ａ）が設けられている。固定突起（４ａ）は、これを複数設けることにより、使用者が固定具挿通孔（３３ｄ）に係止する固定突起（４ａ）の位置を変更することで、開口部（５）の大きさや長尺部材（Ｄ）をカバー部材（２）の外周面上に掛け回す位置を変更することができ、好適である。
【００５２】
以上が、本発明の一実施形態に係る栽培物の保護体（１）の構造についての説明である。次に、本発明の一実施形態に係る栽培物の保護体（１）の使用態様について以下に説明する。
【００５３】
まず、使用者は、栽培物の保護体（１）を使用する農園芸用容器（Ｂ）の大きさや形状にあわせてカバー部材（２）を適当な大きさや形状に切断する等して、その大きさや形状を調節する。もちろん、上記の通り、カバー部材（２）の大きさや形状が農園芸用容器（Ｂ）の大きさや形状にあわせて予め適当に形成されている場合は、使用者はこれをそのまま用いることができる。
【００５４】
次に、使用者は、図９及び１０に図示するように、カバー部材（２）を形成する平面状シート部材（２１）の両側方に、所望の長さに切断した止着帯（３）の取付面（３３ｅ）を貼り付ける。もちろん、上記の通り、止着帯（３）がカバー部材（２）に予め取り付けられている場合は、使用者はこれをそのまま用いることができる。
【００５５】
そして、使用者は、図１１に図示するように、栽培物（Ａ）と農園芸用容器（Ｂ）の周囲を取り囲むことができる大きさを備え得るだけの枚数からなる止着帯（３）を取り付けたカバー部材（２）を用意して、対向する止着帯（３）同士を止着し、栽培物（Ａ）と農園芸用容器（Ｂ）の周囲を取り囲むようにして設置する。図では農園芸用容器（Ｂ）は１つだけであるが、複数の農園芸用容器（Ｂ）の周囲を取り囲むようにして設置することももちろん可能である。そうすると、栽培物の保護体（１）は、栽培物（Ａ）と農園芸用容器（Ｂ）の周囲をカバー部材（２）で取り囲んでいるため、太陽光を遮るとともに害虫及び害獣の侵入を防ぐことができる。
【００５６】
このように、栽培物の保護体（１）は、カバー部材（２）と止着帯（３）とが別個のものとして構成されており、カバー部材（２）が人力により折り曲げることができる柔軟性のあるシート状の材料を用いて形成されることから、使用者は農園芸用容器（Ｂ）の大きさや形状にあわせてカバー部材（２）を適当な大きさや形状に調節し、カバー部材（２）の側方に適当な長さに切断した止着帯（３）を取り付けることで栽培物の保護体（１）の大きさや形状を調節することができる。
【００５７】
よって、栽培物の保護体（１）は、農園芸用容器（Ｂ）に対して小さ過ぎて、農園芸用容器の周囲をカバー部材で取り囲むことができず、そこから太陽光が差したり害虫や害獣が侵入したりしてしまうことがない。反対に、栽培物の保護体（１）が農園芸用容器（Ｂ）に対して大き過ぎて、他の農園芸用容器（Ｂ）を設置するスペースが少なくなったり通行の障害になったりしてしまうこともない。
【００５８】
ここで、栽培物の保護体（１）は、使用者の所望により、図１１及び１２に図示するように空気スペース（２ａ）が縦方向になるようにカバー部材（２）を使用することができるとともに、図１３及び１４に図示するように横方向になるように使用することもできる。即ち、空気スペース（２ａ）が縦方向になるようにカバー部材（２）を使用すると、支柱等に立て掛けることなく安定的に立設することができ、好適である。一方、空気スペース（２ａ）が横方向になるようにカバー部材（２）を使用すると、空気スペース（２ａ）内への雨水等の侵入を防止することができ、好適である。このとき、カバー部材（２）だけでは安定的に立設することが困難である場合は、図１３及び１４に図示するように、農園芸用容器（Ｂ）内に支柱（Ｃ）を適宜立設し、これにカバー部材（２）を立て掛ければ、これを安定的に立設することができる。
【００５９】
また、栽培物の保護体（１）は、複数枚のカバー部材（２）を連結して長尺になるように形成することで、様々な大きさを有する農園芸用容器（Ｂ）を取り囲んで使用することができる。即ち、使用者は、図１５に図示するように、止着帯（３）を取り付けたカバー部材（２）を複数枚用意し、一方のカバー部材（２）の一端を折り返して、その止着帯（３）を他方のカバー部材（２）の一端に係る止着帯（３）に止着することで、複数枚のカバー部材（２）を簡便に連結することができる。
【００６０】
そして、栽培物の保護体（１）は、カバー部材（２）の端部を重ねあわせることで、特に略長方体状のプランターのような長さのある農園芸用容器（Ｂ）を取り囲んで使用することができる。即ち、使用者は、図１６に図示するように、カバー部材（２）の一側方に止着帯（３）を取り付けたものを２組用意し、止着帯（３）を取り付けていない他側方を重ね合わせて農園芸用容器（Ｂ）を取り囲み使用するのである。
【００６１】
そして、栽培物の保護体（１）は、図１７に図示するように、止着帯（３）を取り付けたカバー部材（２）を上下に折り畳んで使用することができる。このように使用することで、カバー部材（２）の厚みが増し、より安定的に立設することができるのである。また、この際、図１８に図示するように、折り畳んだカバー部材（２）の一端を延ばして農園芸用容器（Ｂ）の底面と地面との間に挟み込んで使用してもよい。そうすると、カバー部材（２）は、風が吹いたり通行者が不意に接触したりして簡単に転倒することを防止できるとともに、農園芸用容器（Ｂ）の底部からの断熱を図ることもでき、好適である。
【００６２】
また、使用者は、対向する一対の止着帯（３）の固定具挿通孔（３３ｄ）にそれぞれ固定具（４）を挿通して、止着帯（３）に固定具（４）を取り付ける。即ち、図１９に図示するように、使用者は、係止突起接地面（３３ａ）の右側にある固定具挿通孔（３３ｄ）の下方から固定具（４）を挿通させた後、係止突起接地面（３３ａ）の上方を通過させ、係止突起接地面（３３ａ）の左側にある固定具挿通孔（３３ｄ）の上方から固定具（４）を挿通するのである。
【００６３】
使用者は、栽培物の保護体（１）について換気を行う際は、図２１に図示するように対向する一対の止着帯（３）の止着を一部解除することにより、図２０に図示するように換気口（５）を形成することができる。ここで、図２０では、固定具（４）は２本用いられているが、換気口（５）の大きさや位置等に応じて適切な本数を用いることができる。一方、使用者は、栽培物の保護体（１）について換気を終了する際は、図２２に図示するように対向する一対の止着帯（３）を再度止着することにより換気口（５）を閉塞することができる。
【００６４】
上記のように、栽培物の保護体（１）は、カバー部材（２）の一部に開閉自在の換気口（５）を設けることで適度に換気を行うことができる。また、カバー部材（２）を全面的に開閉する必要はないため、栽培物（Ａ）が太陽熱に晒されたり栽培物の保護体（１）内に害虫及び害獣が侵入したりすることを防止できる。更に、対向する一対の止着帯（３）の固定具挿通孔（３３ｄ）にそれぞれ固定具（４）を挿通することによって、換気口（５）が不意に閉塞することを防止できる。
【００６５】
最後に、使用者は、図２３及び２４に図示するように、対向する一対の止着帯（３）に設けられている固定具挿通孔（３３ｄ）にそれぞれ一本の固定具（４）の両端部を挿通して、固定具（４）をリング状に形成する。即ち、具体的には、図２３に図示するように、係止突起接地面（３３ａ）の右側にある固定具挿通孔（３３ｄ）の下方から上方へと固定具（４）を挿通する。そして、使用者は、図２４に図示するように、このようにしてリング状に形成した固定具（４）に各種の紐部材やベルト部材等の長尺部材（Ｄ）を挿通してカバー部材（２）の外周面上に掛け回すことができる。
【００６６】
そうすると、栽培物の保護体（１）は、風が吹いたり通行者が不意に接触したりしても、カバー部材（２）が使用者の意図することなく栽培物（Ａ）及び農園芸用容器（Ｂ）から容易に取り外されないようにすることができる。
【符号の説明】
【００６７】
１  栽培物の保護体
２  カバー部材
２ａ  空気スペース
２１  平面状シート部材
２２  凹凸状シート部材
３  止着帯
３１  係止突起
３１ａ  雄型突起
３１ｂ  雌型突起
３２  係止突起緩衝材
３３  基材
３３ａ  係止突起設置面
３３ｂ  係止突起非設置面
３３ｃ  持ち手
３３ｄ  固定具挿通孔
３３ｅ  取付面
４  固定具
４ａ  固定突起
５  換気口
Ａ  栽培物
Ｂ  農園芸用容器
Ｃ  支柱
Ｄ  長尺部材
【図１】
2018000047.tif 000003
【図２】
2018000047.tif 000004
【図３】
2018000047.tif 000005
【図４】
2018000047.tif 000006
【図５】
2018000047.tif 000007
【図６】
2018000047.tif 000008
【図７】
2018000047.tif 000009
【図８】
2018000047.tif 000010
【図９】
2018000047.tif 000011
【図１０】
2018000047.tif 000012
【図１１】
2018000047.tif 000013
【図１２】
2018000047.tif 000014
【図１３】
2018000047.tif 000015
【図１４】
2018000047.tif 000016
【図１５】
2018000047.tif 000017
【図１６】
2018000047.tif 000018
【図１７】
2018000047.tif 000019
【図１８】
2018000047.tif 000020
【図１９】
2018000047.tif 000021
【図２０】
2018000047.tif 000022
【図２１】
2018000047.tif 000023
【図２２】
2018000047.tif 000024
【図２３】
2018000047.tif 000025
【図２４】
2018000047.tif 000026